(57)【特許請求の範囲】
【請求項１】
需要家敷地構外から電灯需要の交流単相３線式電圧１００Ｖおよび２００Ｖと、電力需要の交流三相３線式電圧２００Ｖの両供給を受ける需要家宅内の交流三相３線式電圧２００Ｖの既設配電設備の力率改善を行うにおいて、収納盤（１）とする収納箱内部底板に、自動力率調整装置（６）と、入力信号・単相端子台（７）と、三相端子台（８）と、単相２Ｐブレーカ（９）と、配線カバー（１０）と、電磁接触器（１１）と、低圧進相コンデンサ（１２）と、接地線を接続電線により、力率改善制御回路を構成組み力率調整装置を形成し、前記力率調整装置は、変流器出力及び単相電圧並びに三相電圧の入力通電により演算と制御を行うのであって、
変流器出力は、前記需要家宅内の既設三相回路配電盤に隣接設置した前記力率調整装置に三相回路の主開閉器一次側に取り付けたＲ相変流器（４０）及びＴ相変流器（４１）出力をＲ相変流器配線  ＶＶＦ２．０ｍｍ２芯（５３）１条とＴ相変流器配線  ＶＶＦ２．０ｍｍ２芯（５２）１条により引き込み、前記入力信号・単相端子台（７）のＲ相変流器接続端子（１４）並びにＴ相変流器接続端子（１５）へ端子記号に照らし接続し、前記Ｒ相変流器接続端子（１４）及び前記Ｔ相変流器接続端子（１５）から２芯配線２条により前記自動力率調整装置（６）の変流器入力端子（５７）１Ｓへ前記Ｒ相変流器接続端子（１４）１Ｓを、前記変流器入力端子（５７）１Ｌへ前記Ｒ相変流器接続端子（１４）１Ｌを接続完結し、並びに前記変流器入力端子（５７）３Ｓへ前記Ｔ相変流器接続端子（１５）３Ｓを、前記変流器入力端子（５７）３Ｌへ前記Ｔ相変流器接続端子（１５）３Ｌを接続完結する。
前記低圧進相コンデンサ（１２）と、前記自動力率調整装置（６）線間電圧入力端子（３６）が共用する交流三相３線式電圧２００Ｖは、前記需要家宅内の前記既設三相回路配電盤の三相回路  低圧進相コンデンサ電源分岐開閉器（４５）からコンデンサ電源  配線  ＣＶ３８ｍｍ２（５５）３芯１条により前記力率調整装置に引き込み、前記三相端子台（８）の低圧進相コンデンサ１接続端子（１８）Ｕ１へ電圧線Ｒ相を、Ｖ１へ電圧線Ｓ相を、Ｗ１へ電圧線Ｔ相を相順接続し、
前記低圧進相コンデンサ（１２）の交流三相３線式電圧２００Ｖは、前記三相端子台（８）の低圧進相コンデンサ１接続端子（１８）の端子Ｕ１、Ｖ１、Ｗ１から分岐配線により
低圧進相コンデンサ２接続端子（１９）の端子Ｕ２、Ｖ２、Ｗ２と、
低圧進相コンデンサ３接続端子（２０）の端子Ｕ３、Ｖ３、Ｗ３と、
低圧進相コンデンサ４接続端子（２１）の端子Ｕ４、Ｖ４、Ｗ４と
低圧進相コンデンサ５接続端子（２２）の端子Ｕ５、Ｖ５、Ｗ５と
低圧進相コンデンサ６接続端子（２３）の端子Ｕ６、Ｖ６、Ｗ６に、電圧線Ｒ相を各端子Ｕ列２．３．４．５．６へ、電圧線Ｓ相を各端子Ｖ列２．３．４．５．６へ、電圧線Ｔ相を各端子Ｗ列２．３．４．５．６へ並列接続し、前記電圧線Ｕ列及びＶ列並びにＷ列から６系統の前記電磁接触器（１１）一次側へ３芯配線により相順接続し、６系統の前記電磁接触機器（１１）二次側から６系統の前記低圧進相コンデンサ（１２）へ電圧線Ｒ相及び電圧線Ｓ相並びに電圧線Ｔ相を相順接続完結する。
前記自動力率調整装置（６）線間電圧入力端子（３６）の交流三相３線式電圧２００Ｖは、前記三相端子台（８）低圧進相コンデンサ１接続端子（１８）から３芯配線により分岐し、前記入力信号・単相端子台（７）の線間電圧接続端子（１３）Ｐ１へ電圧線Ｒ相を、Ｐ２へ電圧線Ｓ相を、Ｐ３へ電圧線Ｔ相を接続し、前記線間電圧接続端子（１３）から自動力率調整装置（６）線間電圧入力端子（３６）Ｐ１へ電圧線Ｒ相を、Ｐ２へ電圧線Ｓ相を、Ｐ３へ電圧線Ｔ相を接続完結する。
前記自動力率調整装置（６）と、前記電磁接触器（１１）電磁コイルが共用する交流単相２線式電圧２００Ｖは、前記需要家宅内の既設単相回路配電盤の単相回路  自動力率調整装置・電磁接触器コイル電源分岐開閉器（５０）から自動力率調整装置電源  配線  ＶＶＦ２．０ｍｍ２芯（５６）１条により前記力率調整装置に引き込み、前記入力信号・単相端子台（７）の自動力率調整装置・電磁接触器コイル接続端子（１７）端子記号ＲＣ１へ電圧線Ｒ相を、端子記号ＴＣ１へ電圧線Ｔ相を接続し、
前記自動力率調整装置（６）の演算と制御用の交流単相２線式電圧２００Ｖは、前記自動力率調整装置・電磁接触器コイル接続端子（１７）から前記単相２Ｐブレーカ（９）一次側へ電圧線Ｒ相と電圧線Ｔ相を接続し、前記単相２Ｐブレーカ（９）二次側から自動力率調整装置（６）自動力率調整装置入力端子（３７）ＭＡへ電圧線Ｒ相を、ＭＢへ電圧線Ｔ相を接続完結する。
前記電磁接触器（１１）電磁コイルの交流単相２線式電圧２００Ｖは、前起単相２Ｐブレーカ（９）二次側から２芯配線により分岐し、前記電磁コイルの電圧入力端子一方へ電圧線Ｒ相を、前記自動力率調整装置（６）のＣＯＭ端子へ電圧線Ｔ相を接続し、前記ＣＯＭ端子の出力端子Ｃ１、Ｃ２、Ｃ３、Ｃ４、Ｃ５、Ｃ６から前記電磁コイルの電圧端子他一方へ接続完結する。
接地線は、既設接地から分岐配線により前記収納盤（１）に引き込み、前記入力信号・単相端子台（７）アース端子（１６）へ接続し、前記アース端子（１６）から前記自動力率調整装置（６）端子Ｅへ接続完結する。
前記Ｒ相変流器（４０）と前記Ｔ相変流器（４１）接続完結。及び、前記低圧進相コンデンサ（１２）と前記自動力率調整装置（６）線間電圧入力端子（３６）の交流三相３線式電圧２００Ｖ接続完結。及び、前記自動力率調整装置（６）と電磁接触器（１１）電磁コイル電圧線の交流単相２線式電圧２００Ｖ接続完結。並びに接地線を接続完結した制御回路から三相回路の力率改善制御の演算処理を、前記自動力率調整装置（６）自動力率調整装置入力端子（３７）へ交流単相２線式電圧２００Ｖを通電することにより、前記Ｒ相変流器（４０）および前記Ｔ相変流器（４１）の出力値と前記交流三相３線式電圧２００Ｖから無効電力量の演算を行う。
制御は、通電後に前記自動力率調整装置（６）が記憶した前記低圧進相コンデンサ（１２）系統容量から、制御量に見合う前記低圧進相コンデンサ（１２）の個体数を選別し、選別された前記低圧進相コンデンサ（１２）が接続される前記電磁接触器（１１）の電磁コイル電圧線Ｔ相の通電を制御する前記ＣＯＭ端子の出力端子Ｃ１、Ｃ２、Ｃ３、Ｃ４、Ｃ５、Ｃ６制御部へ制御出力を送り、前記電磁接触器（１１）一次側に接続された電圧線と、前記電磁接触器（１１）二次側に接続された前記低圧進相コンデンサ（１２）の接続・切断を前記電磁接触器（１１）の接点開閉により適時投入と開放を自動で行う。
前記交流単相２線式電圧２００Ｖを、前記需要家宅内の電力量計を経由する前記交流単相３線式電圧１００Ｖおよび２００Ｖの前記既設単相回路配電盤から供給する送電一系統を備え、並びに前記交流三相３線式電圧２００Ｖを前記需要家宅内の電力量計を経由する前記既設三相回路配電盤から供給する送電一系統を備えたことを特徴とする力率調整装置。
【請求項２】
前記交流単相２線式電圧２００Ｖを前記交流三相３線式電圧２００Ｖ回路の負荷変動時に起きる電気的悪影響を受けない二系統として、送電分けする制御回路を前記収納箱に収めたことを特徴とする請求項１に記載の力率調整装置。
【発明の詳細な説明】
【技術分野】
【０００１】本発明は、力率調整装置に関する。
【背景技術】
【０００２】  従来の力率改善法として、低圧（交流６００Ｖ以下）受電設備は、分岐回路に低圧進相コンデンサを個別に設置したものがある。
高圧（交流６００Ｖをこえ、６，０００Ｖ以下）受電設備は、変圧器一次側に高圧進相コンデンサ単体を設置したものがある。
特別高圧（６，０００Ｖを超える）受電設備は、自動力率調整装置、高圧進相コンデンサ、リアクトルを組み合わせた大型設備を設置したものがある。【０００３】  従来の力率改善対策である低圧進相コンデンサを分岐回路に個別設置、変圧器一次側に高圧進相コンデンサの単体取り付けでは、負荷変動に対して適正な力率管理がされず深夜を含めた軽負荷時にはコンデンサの解放ができない理由から進み力率となる。
特別高圧需要家においても、低圧配電盤から行われることはなかった。【０００４】
【先行技術文献】
【特許文献】
【０００５】
【特許文献１】特許出願２００２−３２５０２２
【非特許文献】
【０００６】
【非特許文献１】中部電力株式会社  電気供給約款
【発明の概要】
【発明が解決しようとする課題】
【０００７】  本発明は、住宅（約５，０００万世帯）、店舗（約１１４万店）、工場（一次、二次、三次産業を含む）では、適正な力率管理が要求されるものの受電設備を設計する場合、特に低圧（交流６００Ｖ以下）、高圧（交流６００Ｖを超え７，０００Ｖ以下）需要家では、力率改善対策は電気工事の施工費安価が優先されるため、理想的な形態としては実用化されていない。そのため単相、三相誘導電動機、誘導負荷の無効電力分を考慮した過大な安全率による設備設計が採用されるため、受電設備は必然的に大型化し、過剰な投資負担を強いられている実情がある。
また、制御回路製造と施工は仕様によっては、電力受給契約種別の適用除外もあり、電気供給約款の契約負荷設備を設計指針とする必要がある。
上記の無効電力を削減し、適正な設計、電気容量、投資とする力率改善法を力率調整装置で提供することを目的とする。
【課題を解決するための手段】
【０００８】  需要家敷地構外から電灯需要の交流単相３線式電圧１００Ｖおよび２００Ｖと、電力需要の交流三相３線式電圧２００Ｖの両供給を受ける需要家宅内の交流三相３線式電圧２００Ｖの既設配電設備の力率改善を行うにおいて、収納盤（１）とする収納箱内部底板に、自動力率調整装置（６）と、入力信号・単相端子台（７）と、三相端子台（８）と、単相２Ｐブレーカ（９）と、配線カバー（１０）と、電磁接触器（１１）と、低圧進相コンデンサ（１２）と、接地線を接続電線により、力率改善制御回路を構成組み力率調整装置を形成し、前記力率調整装置は、変流器出力及び単相電圧並びに三相電圧の入力通電により演算と制御を行うのであって、
変流器出力は、前記需要家宅内の既設三相回路配電盤に隣接設置した前記力率調整装置に三相回路の主開閉器一次側に取り付けたＲ相変流器（４０）及びＴ相変流器（４１）出力をＲ相変流器配線  ＶＶＦ２．０ｍｍ２芯（５３）１条とＴ相変流器配線  ＶＶＦ２．０ｍｍ２芯（５２）１条により引き込み、前記入力信号・単相端子台（７）のＲ相変流器接続端子（１４）並びにＴ相変流器接続端子（１５）へ端子記号に照らし接続し、前記Ｒ相変流器接続端子（１４）及び前記Ｔ相変流器接続端子（１５）から２芯配線２条により前記自動力率調整装置（６）の変流器入力端子（５７）１Ｓへ前記Ｒ相変流器接続端子（１４）１Ｓを、前記変流器入力端子（５７）１Ｌへ前記Ｒ相変流器接続端子（１４）１Ｌを接続完結し、並びに前記変流器入力端子（５７）３Ｓへ前記Ｔ相変流器接続端子（１５）３Ｓを、前記変流器入力端子（５７）３Ｌへ前記Ｔ相変流器接続端子（１５）３Ｌを接続完結する。
前記低圧進相コンデンサ（１２）と、前記自動力率調整装置（６）線間電圧入力端子（３６）が共用する交流三相３線式電圧２００Ｖは、前記需要家宅内の前記既設三相回路配電盤の三相回路  低圧進相コンデンサ電源分岐開閉器（４５）からコンデンサ電源  配線  ＣＶ３８ｍｍ２（５５）３芯１条により前記力率調整装置に引き込み、前記三相端子台（８）の低圧進相コンデンサ１接続端子（１８）Ｕ１へ電圧線Ｒ相を、Ｖ１へ電圧線Ｓ相を、Ｗ１へ電圧線Ｔ相を相順接続し、
前記低圧進相コンデンサ（１２）の交流三相３線式電圧２００Ｖは、前記三相端子台（８）の低圧進相コンデンサ１接続端子（１８）の端子Ｕ１、Ｖ１、Ｗ１から分岐配線により
低圧進相コンデンサ２接続端子（１９）の端子Ｕ２、Ｖ２、Ｗ２と、
低圧進相コンデンサ３接続端子（２０）の端子Ｕ３、Ｖ３、Ｗ３と、
低圧進相コンデンサ４接続端子（２１）の端子Ｕ４、Ｖ４、Ｗ４と
低圧進相コンデンサ５接続端子（２２）の端子Ｕ５、Ｖ５、Ｗ５と
低圧進相コンデンサ６接続端子（２３）の端子Ｕ６、Ｖ６、Ｗ６に、電圧線Ｒ相を各端子Ｕ列２．３．４．５．６へ、電圧線Ｓ相を各端子Ｖ列２．３．４．５．６へ、電圧線Ｔ相を各端子Ｗ列２．３．４．５．６へ並列接続し、前記電圧線Ｕ列及びＶ列並びにＷ列から６系統の前記電磁接触器（１１）一次側へ３芯配線により相順接続し、６系統の前記電磁接触機器（１１）二次側から６系統の前記低圧進相コンデンテ（１２）へ電圧線Ｒ相及び電圧線Ｓ相並びに電圧線Ｔ相を相順接続完結する。
前記自動力率調整装置（６）線間電圧入力端子（３６）の交流三相３線式電圧２００Ｖは、前記三相端子台（８）低圧進相コンデンサ１接続端子（１８）から３芯配線により分岐し、前記入力信号・単相端子台（７）の線間電圧接続端子（１３）Ｐ１へ電圧線Ｒ相を、Ｐ２へ電圧線Ｓ相を、Ｐ３へ電圧線Ｔ相を接続し、前記線間電圧接続端子（１３）から自動力率調整装置（６）線間電圧入力端子（３６）Ｐ１へ電圧線Ｒ相を、Ｐ２へ電圧線Ｓ相を、Ｐ３へ電圧線Ｔ相を接続完結する。
前記自動力率調整装置（６）と、前記電磁接触器（１１）電磁コイルが共用する交流単相２線式電圧２００Ｖは、前記需要家宅内の既設単相回路配電盤の単相回路  自動力率調整装置・電磁接触器コイル電源分岐開閉器（５０）から自動力率調整装置電源  配線  ＶＶＦ２．０ｍｍ２芯（５６）１条により前記力率調整装置に引き込み、前記入力信号・単相端子台（７）の自動力率調整装置・電磁接触器コイル接続端子（１７）端子記号ＲＣ１へ電圧線Ｒ相を、端子記号ＴＣ１へ電圧線Ｔ相を接続し、
前記自動力率調整装置（６）の演算と制御用の交流単相２線式電圧２００Ｖは、前記自動力率調整装置・電磁接触器コイル接続端子（１７）から前記単相２Ｐブレーカ（９）一次側へ電圧線Ｒ相と電圧線Ｔ相を接続し、前記単相２Ｐブレーカ（９）二次側から自動力率調整装置（６）自動力率調整装置入力端子（３７）ＭＡへ電圧線Ｒ相を、ＭＢへ電圧線Ｔ相を接続完結する。
前記電磁接触器（１１）電磁コイルの交流単相２線式電圧２００Ｖは、前記単相２Ｐブレーカ（９）二次側から２芯配線により分岐し、前記電磁コイルの電圧入力端子一方へ電圧線Ｒ相を、前記自動力率調整装置（６）のＣＯＭ端子へ電圧線Ｔ相を接続し、前記ＣＯＭ端子の出力端子Ｃ１、Ｃ２、Ｃ３、Ｃ４、Ｃ５、Ｃ６から前記電磁コイルの電圧端子他一方へ接続完結する。
接地線は、既設接地から分岐配線により前記収納盤（１）に引き込み、前記入力信号・単相端子台（７）アース端子（１６）へ接続し、前記アース端子（１６）から前記自動力率調整装置（６）端子Ｅへ接続完結する。
前記Ｒ相変流器（４０）と前記Ｔ相変流器（４１）接続完結。及び、前記低圧進相コンデンサ（１２）と前記自動力率調整装置（６）線間電圧入力端子（３６）の交流三相３線式電圧２００Ｖ接続完結。及び、前記自動力率調整装置（６）と電磁接触器（１１）電磁コイル電圧線の交流単相２線式電圧２００Ｖ接続完結。並びに接地線を接続完結した制御回路から三相回路の力率改善制御の演算処理を、前記自動力率調整装置（６）自動力率調整装置入力端子（３７）へ交流単相２線式電圧２００Ｖを通電することにより、前記Ｒ相変流器（４０）および前記Ｔ相変流器（４１）の出力値と前記交流三相３線式電圧２００Ｖから無効電力量の演算を行う。
制御は、通電後に前記自動力率調整装置（６）が記憶した前記低圧進相コンデンサ（１２）系統容量から、制御量に見合う前記低圧進相コンデンサ（１２）の個体数を選別し、選別された前記低圧進相コンデンサ（１２）が接続される前記電磁接触器（１１）の電磁コイル電圧線Ｔ相の通電を制御する前記ＣＯＭ端子の出力端子Ｃ１、Ｃ２、Ｃ３、Ｃ４、Ｃ５、Ｃ６制御部へ制御出力を送り、前記電磁接触器（１１）一次側に接続された電圧線と、前記電磁接触器（１１）二次側に接続された前記低圧進相コンデンサ（１２）の接続・切断を前記電磁接触器（１１）の接点開閉により適時投入と開放を自動で行う。
前記交流単相２線式電圧２００Ｖを、前記需要家宅内の電力量計を経由する前記交流単相３線式電圧１００Ｖおよび２００Ｖの前記既設単相回路配電盤から供給する送電一系統を備え、並びに前記交流三相３線式電圧２００Ｖを前記需要家宅内の電力量計を経由する前記既設三相回路配電盤から供給する送電一系統を備えたことを特徴とする力率調整装置を提供する。
【発明の効果】
【０００９】  本発明の力率調整装置導入で、無効電力低減から負荷機器力率数値を１００％として設計でき、適正な安全率の受電設備投資を備えた省エネ高効率受電設備となる。
住宅（約５，０００万世帯）、店舗（約１１４万店）、工場（一次、二次、三次産業含む）の広域利用が可能となり、電気的悪影響の電圧変動、照明及び弱電回路のフリッカ抑制と昼夜軽負荷時進み力率においては、低圧進相コンデンサを解放できるので適正な力率保持が行われる。【００１０】  本発明の力率調整装置導入により電力供給事業者は、無効電力改善効果から発電負担である皮相電力量が低減でき、発電エネルギー節約につながり輸入を含めた生産管理コストを大きく削減できる。さらに、設備投資は契約者負担で行うため設備投資費用を一切必要としない上で送電系統力率を受電設備末端から改善できる。【００１１】  本発明の力率調整装置導入により需要家は、低圧進相コンデンサ効果から力率の保持（非特許文献１）を遵守でき、基本料金力率割引（非特許文献１）適用を受ける。
低圧（非特許文献１）契約者は最大１０％、高圧（非特許文献１）契約者は最大１５％割引による費用対効果を得る。【００１２】  本発明の力率調整装置を導入することにより、工事現場発電機、ビル、店舗の非常用発電機の二次側に取付けることで力率改善効果の皮相電力低減により、発電時の燃費を改善する。また、トンネル工事など延長された末端受電設備に取付けることにより、工作機器の電圧降下を抑制し、皮相電力低減から使用機器台数を増やすことが可能となり、作業効率と生産能率も併せて改善できる。
【図面の簡単な説明】
【００１３】
【図１】開閉扉を閉じた外観を示した正面図である。
【図２】開閉扉を外した機器配置を示した正面図である。
【図３】壁面取付を示した立面図である。
【図４】上部を示した平面図である。
【図５】入力信号・単相端子台図である。
【図６】三相端子台図である。
【図７】三相回路６群制御電磁接触器、低圧進相コンデンサを示す配線図である。
【図８】自動力率調整装置の配線図である。
【図９】低圧電力契約三相回路の利用法を示した配線図である。
【図１０】高圧契約三相回路の利用法を示した配線図である。
【図１１】高圧契約、低圧従量電灯契約単相回路の利用法を示した配線図である。
【発明を実施するための形態】
以下本発明を、その実施の形態を示す図面に基づいて具体的に説明する。
なお実施の形態では、この発明に係わる力率調整装置を受変電システムに適用して、受変電負荷設備の無効電力を力率改善用の低圧進相コンデンサ５００マイクロファラッド６群を管理制御する場合を例にとり説明する。
本発明の力率調整装置の作動は、収納箱とする収納盤内部の自動力率調整装置へ単相電圧を送電し、主開閉器一次側に取付けた変流器出力値と制御回路の線間電圧から無効電力制御値演算を行い低圧進相コンデンサの適正容量値と適時投入の制御信号を演算出力している。
一方、電磁接触器電磁コイルも、単相電圧を作動電源としており自動力率調整装置の制御信号により開閉器を作動させて低圧進相コンデンサの適時投入をすることにより、制御対象回路の力率改善をするものである。
図７、図８、図９、図１０は、三相回路使用時の適用配線例を示す。
図１１は、単相回路使用時の適用配線例を示す。
【００１４】  本発明の力率調整装置は、自動力率調整装置の管理下で無効電力量に応じ必要な低圧進相コンデンサを電磁接触器で投入し、電力送電効率を上げる力率改善を行うものである。使用に際しては電気供給約款（非特許文献１）に拘束されており、低圧契約需要家に支障を来すことなく契約締結を可能とする技術を提供するものである。
【００１５】  図１は、本発明の実施例を示すものであり、収納盤（１）は電気工事部材であるプラスティック製、またはＦＲＰ製の軽量材を用いた収納盤であり、扉には左右に開閉ハンドル（２）自然吸排気の排気口（３）吸気口（４）を有する。
収納盤の大きさは、幅８００ｍｍ、高さ６００ｍｍ、奥行き２５０ｍｍ、体積０．１２ｍ３、取り付け金具を含めた幅９００ｍｍである。
【００１６】  図２は、本発明の実施例の低圧進相コンデンサ６群制御管理仕様の機器構成と配置を、左右扉を外した状態で示すものである。構成部材は、自動力率調整装置（６）、入力信号・単相端子台（７）、三相端子台（８）、単相２Ｐブレーカ（９）、配線カバー（１０）、電磁接触器（１１）、低圧進相コンデンサ（１２）である。
【００１７】  図３は、本発明の実施例の力率調整装置を壁面に取付けた場合を示す立面図であり、図４は、上部を示した図である。
【００１８】図５は、本発明の力率調整装置の入力信号・単相端子台を示す。
線間電圧接続端子（１３）は、自動力率調整装置の演算で使用する制御対象回路線間電圧の単相、または三相電圧を接続する入出力端子である。
線間電圧接続端子（１３）の入力は、三相回路においては図６低圧進相コンデンサ１接続端子（１８）Ｕ１からＰ１、Ｖ１からＰ２、Ｗ１からＰ３へ線間電圧の相順Ｒ相をＰ１、Ｓ相をＰ２、Ｔ相をＰ３に合わせて接続する。
また、単相回路においては図６低圧進相コンデンサ１接続端子（１８）Ｕ１からＰ１、Ｖ１からＰ２へ線間電圧の相順Ｒ相をＰ１、Ｔ相をＰ２に合わせて接続する。
Ｒ相変流器接続端子（１４）は、Ｒ相変流器（４０）のＲ相入出力端子で、Ｒ相変流器（４０）の（１Ｓ）を１ＳへＲ相変流器（４０）の（１Ｌ）を１Ｌに接続する。Ｔ相変流器接続端子（１５）は、Ｔ相変流器（４１）のＴ相入出力端子で、Ｔ相変流器（４１）の（３Ｓ）を３ＳへＴ相変流器（４１）の（３Ｌ）を３Ｌに接続する。
変流器Ｒ相、Ｔ相の記号を照らし合わせて接続する。
アース端子（１６）は、アース入出力端子である。使用電線はＩＶ電線２．０ｍｍ２許容電流２７アンペアにより既設配電盤から分岐接続をする。
自動力率調整装置・電磁接触器コイル接続端子（１７）は、自動力率調整装置（６）、電磁接触器（１１）電磁コイルの動作電源入出力端子である。
低圧電力（非特許文献１）三相回路には、別途従量電灯からの入力とすることにより電気供給約款（非特許文献１）を遵守した使用法となる。
従量電灯（非特許文献１）電灯配電盤の単相回路  自動力率調整装置・電磁接触器コイル電源分岐開閉器（５０）から、ＶＶＦ電線２．０ｍｍ２芯許容電流２２アンペアによりＲＣ１、ＴＣ１に接続する。
図１０の高圧電力（非特許文献１）三相回路使用時には、線間電圧接続端子（１３）Ｐ１から自動力率調整装置・電磁接触器コイル接続端子（１７）ＲＣ１へ、線間電圧接続端子（１３）Ｐ３から自動力率調整装置・電磁接触器コイル接続端子（１７）ＴＣ１へＩＶ電線２．０ｍｍ２許容電流２７アンペアにより分岐接続する。
図１１の高圧電力、従量電灯（非特許文献１）単相回路の使用時には、線間電圧接続端子（１３）Ｐ１から自動力率調整装置・電磁接触器コイル接続端子（１７）ＲＣ１へ、線間電圧接続端子（１３）Ｐ２から自動力率調整装置・電磁接触器コイル接続端子（１７）ＴＣ１へＩＶ電線２．０ｍｍ２許容電流２７アンペアにより分岐接続する。
【００１９】  図６は、低圧進相コンデンサ６群電源を供給する入出力端子である。
コンデンサ電源主端子として利用する低圧進相コンデンサ１接続端子（１８）のＵ１、Ｖ１、Ｗ１にコンデンサ総容量に見合う許容電流配線を接続する。
図９低圧電力（非特許文献１）、図１０高圧電力（非特許文献１）低圧三相回路使用時には、コンデンサ電源を三相回路  低圧進相コンデンサ電源分岐開閉器（４５）から、Ｕ１、Ｖ１、Ｗ１にコンデンサ総容量３，０００マイクロファラッドに見合う幹線ＣＶ（架橋ポリエチレン絶縁ビニル外装ケーブル）電線３８ｍｍ２単心３条許容電流１９０アンペアにより配線接続する。
図１１の高圧電力、従量電灯（非特許文献１）単相回路使用時には、コンデンサ電源を単相回路  自動力率調整装置・電磁接触器コイル電源分岐開閉器（５０）から、Ｕ１、Ｖ１にコンデンサ総容量３，０００マイクロファラッドに見合う幹線ＣＶ（架橋ポリエチレン絶縁ビニル外装ケーブル）電線６０ｍｍ２単心２条許容電流２５５アンペアにより配線接続する。
【００２０】  三相回路のコンデンサ電源分岐配線は、低圧進相コンデンサ１接続端子（１８）Ｕ１、Ｖ１、Ｗ１から、低圧進相コンデンサ２接続端子（１９）Ｕ２、Ｖ２、Ｗ２へ、同様に低圧進相コンデンサ３接続端子（２０）Ｕ３、Ｖ３、Ｗ３へ、同様に低圧進相コンデンサ４接続端子（２１）Ｕ４、Ｖ４、Ｗ４へ、同様に低圧進相コンデンサ５接続端子（２２）Ｕ５、Ｖ５、Ｗ５へ、同様に低圧進相コンデンサ６接続端子（２３）Ｕ６、Ｖ６、Ｗ６へＩＶ電線５．５ｍｍ２許容電流値４９アンペアにより、記号に照らし合わせて各分岐接続する。
単相回路のコンデンサ電源分岐配線は、低圧進相コンデンサ１接続端子（１８）Ｕ１、Ｖ１から、低圧進相コンデンサ２接続端子（１９）Ｕ２、Ｖ２へ、同様に低圧進相コンデンサ３接続端子（２０）Ｕ３、Ｖ３へ、同様に低圧進相コンデンサ４接続端子（２１）Ｕ４、Ｖ４へ、同様に低圧進相コンデンサ５接続端子（２２）Ｕ５、Ｖ５へ、同様に低圧進相コンデンサ６接続端子（２３）Ｕ６、Ｖ６へＩＶ電線５．５ｍｍ２許容電流値４９アンペアにより、記号に照らし合わせて各分岐接続する。
【００２１】  図７は、三相回路低圧進相コンデンサ６群管理を構成する配線図である。
各コンデンサの三相回路接続は、図６低圧進相コンデンサ１接続端子（１８）Ｕ１、Ｖ１、Ｗ１から低圧進相コンデンサ１（２４）端子Ｕ１、Ｖ１、Ｗ１へ、同様に低圧進相コンデンサ２接続端子（１９）Ｕ２、Ｖ２、Ｗ２から低圧進相コンデンサ２（２５）端子Ｕ２、Ｖ２、Ｗ２へ、同様に低圧進相コンデンサ３接続端子（２０）Ｕ３、Ｖ３、Ｗ３から低圧進相コンデンサ３（２６）端子Ｕ３、Ｖ３、Ｗ３へ、同様に低圧進相コンデンサ４接続端子（２１）Ｕ４、Ｖ４、Ｗ４から低圧進相コンデンサ４（２７）端子Ｕ４、Ｖ４、Ｗ４へ、同様に低圧進相コンデンサ５接続端子（２２）Ｕ５、Ｖ５、Ｗ５から低圧進相コンデンサ５（２８）端子Ｕ５、Ｖ５、Ｗ５へ、同様に低圧進相コンデンサ６接続端子（２３）Ｕ６、Ｖ６、Ｗ６から低圧進相コンデンサ６（２９）端子Ｕ６、Ｖ６、Ｗ６へＩＶ電線５．５ｍｍ２許容電流値４９アンペアにより、記号に照らし合わせ電磁接触器を経由して接続する。
図１１、単相回路コンデンサへの出力配線接続は、図６端子低圧進相コンデンサ１接続端子（１８）Ｕ１、Ｖ１から低圧進相コンデンサ１（２４）端子Ｕ１、Ｖ１へ、同様に低圧進相コンデンサ２接続端子（１９）Ｕ２、Ｖ２から低圧進相コンデンサ２（２５）端子Ｕ２、Ｖ２へ、同様に低圧進相コンデンサ３接続端子（２０）Ｕ３、Ｖ３から低圧進相コンデンサ３（２６）端子Ｕ３、Ｖ３へ、同様に低圧進相コンデンサ４接続端子（２１）Ｕ４、Ｖ４から低圧進相コンデンサ４（２７）端子Ｕ４、Ｖ４へ、同様に低圧進相コンデンサ５接続端子（２２）Ｕ５、Ｖ５から低圧進相コンデンサ５（２８）端子Ｕ５、Ｖ５へ、同様に低圧進相コンデンサ６接続端子（２３）Ｕ６、Ｖ６から低圧進相コンデンサ６（２９）端子Ｕ６、Ｖ６へＩＶ電線５．５ｍｍ２許容電流値４９アンペアにより、記号に照らし合わせ電磁接触器を経由して接続する。
【００２２】  図８は、６群管理の自動力率調整装置と電磁接触器の接続図である。
単相電圧の取り扱いについては、単相２Ｐブレーカ（９）二次側端子Ｒ相（ＲＣ１）を自動力率調整装置入力端子（３７）ＭＡと電磁接触器電磁コイル端子一方へ接続、二次側端子Ｔ相（ＴＣ１）を自動力率調整装置入力端子（３７）ＭＢとＣＯＭに接続する。
電磁接触器（３０）電磁コイル作動電源は、自動力率装置出力端子Ｃ１から電磁コイル端子他一方へ、ＩＶ電線２．０ｍｍ２許容電流２７アンペアにより接続する。
電磁接触器（３１）電磁コイル作動電源は、自動力率装置出力端子Ｃ２から電磁コイル端子他一方へ、ＩＶ電線２．０ｍｍ２許容電流２７アンペアにより接続する。
電磁接触器（３２）電磁コイル作動電源は、自動力率装置出力端子Ｃ３から電磁コイル端子他一方へ、ＩＶ電線２．０ｍｍ２許容電流２７アンペアにより接続する。
電磁接触器（３３）電磁コイル作動電源は、自動力率装置出力端子Ｃ４から電磁コイル端子他一方へ、ＩＶ電線２．０ｍｍ２許容電流２７アンペアにより接続する。
電磁接触器（３４）電磁コイル作動電源は、自動力率装置出力端子Ｃ５から電磁コイル端子他一方へ、ＩＶ電線２．０ｍｍ２許容電流２７アンペアにより接続する。
電磁接触器（３５）電磁コイル作動電源は、自動力率装置出力端子Ｃ６から電磁コイル端子他一方へ、ＩＶ電線２．０ｍｍ２許容電流２７アンペアにより接続する。
【００２３】線間電圧入力端子（３６）は、制御対象回路線間電圧を接続する。
三相２００Ｖの場合には、図９，図１０の三相回路  低圧進相コンデンサ電源分岐開閉器（４５）の相順を測定器により検出したのちＲ相にＰ１をＳ相にＰ２をＴ相にＰ３を相順に照らし合わせ接続を行う。
単相２００Ｖの場合には、図１１の単相回路  自動力率調整装置・電磁接触器コイル電源分岐開閉器（５０）のＲ相をＰ１にＴ相をＰ２に相順を照らし合わせ接続を行う。
自動力率調整装置入力端子（３７）は、演算用電源端子である。
図９低圧電力（非特許文献１）三相回路で使用する場合には、電磁接触器電磁コイルと同じく従量電灯（非特許文献１）回路からの別系統入力としなければならない。
従量電灯（非特許文献１）単相回路  自動力率調整装置・電磁接触器コイル電源分岐開閉器（５０）から、ＶＶＦ２．０ｍｍ２芯許容電流２２アンペアにより自動力率調整装置・電磁接触器コイル接続端子（１７）ＲＣ１、同様にＴＣ１に配線入力し、単相２Ｐブレーカ（９）を経由した後自動力率調整装置入力端子（３７）ＭＡに自動力率調整装置・電磁接触器コイル接続端子（１７）ＲＣ１、自動力率調整装置入力端子（３７）ＭＢに自動力率調整装置・電磁接触器コイル接続端子（１７）ＴＣ１をＩＶ電線２．０ｍｍ２許容電流２７アンペアにより接続する。
図１０高圧電力（非特許文献１）低圧三相回路で使用する場合は、同一回路から供給できるため、線間電圧接続端子（１３）Ｐ１から自動力率調整装置・電磁接触器コイル接続端子（１７）ＲＣ１へ、同様に線間電圧接続端子（１３）Ｐ３から自動力率調整装置・電磁接触器コイル接続端子（１７）ＴＣ１へ単相電圧を接続経由して自動力率調整装置入力端子（３７）ＭＡに自動力率調整装置・電磁接触器コイル接続端子（１７）ＲＣ１、ＭＢに自動力率調整装置・電磁接触器コイル接続端子（１７）ＴＣ１をＩＶ電線２．０ｍｍ２許容電流２７アンペアにより、単相２Ｐブレーカ（９）を経由し分岐接続する。
図１１高圧電力、従量電灯（非特許文献１）単相回路で使用する場合には、同一回路から供給できるため、図１１電灯盤の単相回路  自動力率調整装置・電磁接触器コイル電源分岐開閉器（５０）から供給を行い、線間電圧接続端子（１３）Ｐ１から自動力率調整装置・電磁接触器コイル接続端子（１７）ＲＣ１へ、同様に線間電圧接続端子（１３）Ｐ２から自動力率調整装置・電磁接触器コイル接続端子（１７）ＴＣ１へ接続した後、自動力率調整装置入力端子（３７）ＭＡに自動力率調整装置・電磁接触器コイル接続端子（１７）ＲＣ１、ＭＢに自動力率調整装置・電磁接触器コイル接続端子（１７）ＴＣ１をＩＶ電線２．０ｍｍ２許容電流２７アンペアにより、単相２Ｐブレーカ（９）を経由して分岐接続する。
自動力率調整装置・電磁コイル供給単相電圧（３８）は、低圧電力（非特許文献１）三相回路は、従量電灯（非特許文献１）からの別供給とすることにより電気供給約款（非特許文献１）を遵守できる。
高圧電力（非特許文献１）、従量電灯（非特許文献１）は、１契約１電力メーター取引契約であるから同一回路からの供給とする。
【００２４】図９は、低圧電力（非特許文献１）契約の適用配線施工方法であって、単相２００Ｖと三相２００Ｖを接続する自動力率調整装置、単相２００Ｖ電磁接触器電磁コイル、三相２００Ｖ低圧進相コンデンサからなる制御回路を各電力会社電気供給約款（非特許文献１）に適用遵守する配線施工方法である。
自動力率調整装置（６）への電源入力は、制御対象の三相電圧からの供給は電気供給約款（非特許文献１）の取り決めからできない。
従量電灯（非特許文献１）契約の電灯配電盤の単相回路  自動力率調整装置・電磁接触器コイル電源分岐開閉器（５０）から入力信号・単相端子台（７）のＲＣ１、ＴＣ１を経由して、単相２Ｐブレーカ（９）を経由した後、自動力率調整装置（６）の端子ＭＡ、ＭＢに接続する単相２線式別契約供給方式としなければならない。
配線方法は、本図と照らし合わせ行うことにより電気供給約款（非特許文献１）を遵守できることにより、１０電力会社間で支障なく契約締結できる。
【００２５】  図１０は、高圧電力（非特許文献１）契約の低圧三相回路において力率調整装置を利用する場合の接続方法である。
自動力率調整装置（６）への電源入力は、高圧契約（非特許文献１）者においては、電灯と電力を１契約１電力メーターで計量しているため、三相回路に力率調整装置を設置する場合は、三相回路から単相回路を取り出し接続しても良い。
高圧契約者の配電盤の三相回路  低圧進相コンデンサ電源分岐開閉器（４５）から三相端子台（８）Ｕ１、Ｖ１を経由して、入力信号・単相端子台（７）のＲＣ１、ＴＣ１へ接続し単相２Ｐブレーカ（９）を経由した後、自動力率調整装置（６）の端子ＭＡ、ＭＢに制御対象の同一回路として供給する。
配線方法は、本図と照らし合わせ行うことにより電気供給約款（非特許文献１）を遵守できる。
【００２６】  図１１は、高圧電力（非特許文献１）、低圧契約（非特許文献１）電灯回路において力率調整装置を使用する場合の接続方法である。
自動力率調整装置（６）電源は、制御対象の電灯配電盤単相回路  自動力率調整装置・電磁接触器コイル電源分岐開閉器（５０）から三相端子台（８）Ｕ１、Ｖ１を経由して、入力信号・単相端子台（７）端子ＲＣ１、ＴＣ１へ接続を行った後、単相２Ｐブレーカ（９）を経由した後、自動力率調整装置（６）自動力率調整装置入力端子（３７）ＭＡ、ＭＢに接続し制御対象同一回路として供給する。
配線方法は、本図と照らし合わせ行うことにより電気供給約款（非特許文献１）を遵守できる。
【００２７】  図９，図１０，図１１の低圧進相コンデンサ容量を設計変更する場合は、低圧進相コンデンサ容量の許容電流に見合う分岐開閉器、電磁接触器、幹線サイズを選別する。
盤内部冷却方法として、強制空冷方式を選択する場合の単相仕様送風ファン電源は、入力信号・単相端子台（７）自動力率調整装置・電磁接触器コイル接続端子（１７）ＲＣ１、ＴＣ１から分岐配線供給とすることにより電気供給約款（非特許文献１）を遵守できる。
契約種別低圧電力（非特許文献１）では、太陽光、風力を含む代替発電装置を介して入力信号・単相端子台（７）自動力率調整装置・電磁接触器コイル接続端子（１７）ＲＣ１、ＴＣ１を経由して通電使用することにより、電灯契約を不要とすることができる。
【符号の説明】
【００２８】  １  収納盤
２  開閉ハンドル
３  排気口
４  吸気口
５  取付金具
６  自動力率調整装置
７  入力信号・単相端子台
８  三相端子台
９  単相２Ｐブレーカ
１０  配線カバー
１１  電磁接触器
１２  低圧進相コンデンサ
１３  線間電圧接続端子
１４  Ｒ相変流器接続端子
１５  Ｔ相変流器接続端子
１６  アース端子
１７  自動力率調整装置・電磁接触器コイル接続端子
１８  低圧進相コンデンサ１接続端子
１９  低圧進相コンデンサ２接続端子
２０  低圧進相コンデンサ３接続端子
２１  低圧進相コンデンサ４接続端子
２２  低圧進相コンデンサ５接続端子
２３  低圧進相コンデンサ６接続端子
２４  低圧進相コンデンサ１
２５  低圧進相コンデンサ２
２６  低圧進相コンデンサ３
２７  低圧進相コンデンサ４
２８  低圧進相コンデンサ５
２９  低圧進相コンデンサ６
３０  電磁接触器１
３１  電磁接触器２
３２  電磁接触器３
３３  電磁接触器４
３４  電磁接触器５
３５  電磁接触器６
３６  線間電圧入力端子
３７  自動力率調整装置入力端子
３８  自動力率調整装置・電磁コイル供給単相電圧
３９  低圧電力（非特許文献１）契約  電力量計
４０  Ｒ相変流器
４１  Ｔ相変流器
４２  三相回路  主開閉器
４３  三相回路  分岐開閉器
４４  三相回路  負荷設備
４５  三相回路  低圧進相コンデンサ電源分岐開閉器
４６  従量電灯契約  電力量計
４７  単相回路  主開閉器
４８  単相回路  分岐開閉器
４９  単相回路  負荷設備
５０  単相回路  自動力率調整装置・電磁接触器コイル電源分岐開閉器
５１  高圧電力（非特許文献１）契約  電力量計
５２  Ｔ相変流器配線  ＶＶＦ２．０ｍｍ２芯
５３  Ｒ相変流器配線  ＶＶＦ２．０ｍｍ２芯
５４  コンデンサ、自動力率調整装置電源  配線  ＣＶ６０ｍｍ２
５５  コンデンサ電源  配線  ＣＶ３８ｍｍ２
５６  自動力率調整装置電源  配線  ＶＶＦ２．０ｍｍ２芯
５７  変流器入力端子
【図１】
0005166484.tif 000002
【図２】
0005166484.tif 000003
【図３】
0005166484.tif 000004
【図４】
0005166484.tif 000005
【図５】
0005166484.tif 000006
【図６】
0005166484.tif 000007
【図７】
0005166484.tif 000008
【図８】
0005166484.tif 000009
【図９】
0005166484.tif 000010
【図１０】
0005166484.tif 000011
【図１１】
0005166484.tif 000012